(57)【要約】建物構造のための壁システム（１）は、少なくとも１つの連結装置（３）、そして好ましくは幾つかの連結装置（３）、により互いに連結される、複数の壁要素のような、複数の構造要素（２）を備えている。複数の構造要素（２）は、より早いそしてより強い壁構造を許容するよう重複している様式で複数の層に互いに連結されている。複数の連結装置は、少なくとも１つの第１のタイプの連結要素（４）及び少なくとも１つの第２のタイプの連結要素（５）を備えており、これらの形状は互いに相互作用する。
2018515704.tif 000002
【特許請求の範囲】
【請求項１】
少なくとも１つの連結装置（３）、そして好ましくは幾つかの連結装置（３）、により互いに連結される複数の構造要素（２）を備える建物構造のための壁システム（１）であって、
前記構造要素（２）が重複される様式で互いに連結されるとともに、前記連結装置が少なくとも１つの第１のタイプの連結要素（４）及び少なくとも１つの第２のタイプの連結要素（５）を備えており、ここにおいて、第１及び第２の連結要素の形状が、それらが互いに連結することができ、そしてそれらが互いから連結解除することができるよう整合されている、ことを特徴とする壁システム（１）。
【請求項２】
前記構造要素（２）が少なくとも１つの第１側面（６），少なくとも１つの第２側面（７），そして少なくとも１つの第１縁部（８），少なくとも１つの第１反対縁部（９），そして少なくとも１つの第２縁部（１０）及び少なくとも１つの第２反対縁部（１１）を有している、請求項１に記載の壁システム（１）。
【請求項３】
前記連結要素（４，５）の少なくとも１つが凹所において壁要素（２）に連結されている、請求項１乃至２の何れか１項に記載の壁システム（１）。
【請求項４】
前記壁システムが、構造要素の少なくとも１つの第１層及び構造要素の少なくとも１つの第２層を備えていることを特徴とする、請求項１乃至３の何れか１項に記載の壁システム（１）。
【請求項５】
前記複数の構造要素が、２つ又はそれ以上の異なった寸法及び／又は形状の構造要素を備えている、請求項１乃至４の何れか１項に記載の壁システム（１）。
【請求項６】
前記複数の連結要素が、前記構造要素の重複した設置を許容するよう構造要素の夫々の側面の上に分配されている、請求項１乃至５の何れか１項に記載の壁システム（１）。
【請求項７】
前記第１の連結要素（４）が雌構成要素を備えているともに前記第２の連結要素（５）が雄構成要素を備えているか、その逆である、請求項１乃至６の何れか１項に記載の壁システム（１）。
【請求項８】
前記第１の連結要素（４）が少なくとも１つの第１Ｖ字形状要素を備え、そして前記第２の連結要素（５）が少なくとも１つの第２Ｖ字形状要素を備えている、請求項１乃至７の何れか１項に記載の壁システム（１）。
【請求項９】
前記構造要素が壁要素である、請求項１乃至８の何れか１項に記載の壁システム（１）。
【請求項１０】
個々の壁要素が複数の核要素を備えていて、ここにおいて、側面の少なくとも１つは、介在している第１の複数のフランジを伴った複数の第１溝が設けられている、請求項１乃至９の何れか１項に記載の壁システム（１）。
【請求項１１】
前記構造要素が、少なくとも第２の複数の溝及び少なくとも第２の複数のフランジを備えている、請求項１０に記載の壁システム（１）。
【発明の詳細な説明】
【技術分野】
【０００１】
この発明は、特許請求の範囲に従った壁システムの変形に関する。
【背景技術】
【０００２】
長年にわたり、建物構造は多数の異なった変形及び実施形態が開発されてきた。建物の構造に関係した１つの問題は、これらの構造を建て、そして完成するのに時間を要することである。建築作業に費やす時間を減少させるために、異なったタイプの予め組み立てられている壁及び他の構造部位のような予め組み立てられている構成要素からなる建物が開発されてきている。予め組み立てられている構造は、建築現場において使用される時間を減少させる標準化されている構成要素から成る。しかしながら、これらの構造は主に全体の壁区域に関係しているが部分的な区域には関係していない。
【０００３】
より小さな建物においてより速やかに壁を建てるための変形は、例えば、建物の建築の間に壁を形成するために互いに寄せられる複数の壁ブロックから成るような壁である。互いに連結される多数の壁ブロックを備えている複数の壁を建てるのに伴う問題は、垂直及び水平方向の両方において複数の壁を真っ直ぐにするという問題である。現在では、これを効率的なやり方で達成することが困難である。
【０００４】
迅速にそして信頼性のあるやり方で複数の壁を建てると同時に前述した問題を減少又は解消する改良されたシステムの必要性がある。
［従来技術］
壁構造の変形は、特許明細書ＷＯ  ２０１１０９０４１８号に記載されている。この構造は、少なくとも複数の中間フランジを伴っている溝の第１セットから成る部位を備える。
【０００５】
この構造は、それが対応している連結要素を含まないことがこの特許出願中におけるのと同じである審査された構造からは異なっている。例えば、この特許明細書に従っている構造は、この特許出願に従っている連結構造により互いに連結されている壁ブロックのシステムではない。
【０００６】
モジュールによる壁構造のための連結要素の変形は、特許明細書ＮＯ  ３２３７８４号に記載されている。この壁構造は、この特許出願に従っている構造から大きく異なっている。例えば、この特許明細書に従っている構造は、この特許出願に対応している方法における連結要素により互いに連結されている壁ブロックのシステムを備えていない。
【発明の概要】
【０００７】
この特許出願の目的は、上記で明らかにされた又は以下の記載中で明らかになるモジュール化されている壁構造の現在のタイプの問題の１つを無くす、又は実質的に減少させることである。公知の構造に関して、この発明は、壁を真っ直ぐにするのと同時に壁の部位を迅速に寄せ集めることを可能にするための解法を提供することを意図している。この目的は、特許請求の範囲に従ったシステムによって達成される。
【０００８】
この発明の１つの概念に従えば、少なくとも１つの連結装置、そして好ましくは幾つかの連結装置、により互いに連結される複数の構造要素を備えていて、可能な限りより早くそしてより真っ直ぐな壁構造を作成するために、複数の構造要素が重複される様式で互いに連結されていることを特徴としている、建物構造のための壁システムが提供される。連結装置が少なくとも１つの第１のタイプの連結要素及び少なくとも１つの第２のタイプの連結要素を備えており、ここにおいて、第１及び第２の連結要素の形状が、それらが互いに連結することができ、そしてそれらが互いから連結解除することができる結果となるよう整合されている。一実施形態に従えば、第１の連結要素が雌構成要素を備えているともに第２の連結要素が雄構成要素を備えているか、その逆である。一実施形態に従えば、第１の連結要素が少なくとも１つの第１Ｖ字形状要素を備え、そして第２の連結要素が少なくとも１つの第２Ｖ字形状要素を備えている。
【０００９】
壁システムの一実施形態に従えば、システムが、複数の構造要素の少なくとも１つの第１層及び複数の構造要素の少なくとも１つの第２層を備えていることを特徴としている。
【００１０】
壁システムの一実施形態に従えば、システムが、２つ又はそれ以上の異なった寸法及び／又は形状の複数の構造要素を備えていることを特徴としている。
【００１１】
壁システムの一実施形態に従えば、複数の連結要素が、複数の構造要素の重複している設置を許容するよう構造要素の複数の側面の夫々の上に分配されていることを特徴としている。
【００１２】
壁システムの一実施形態に従えば、構造要素が少なくとも１つの第１側面，少なくとも１つの第２側面，そして少なくとも１つの第１縁部，少なくとも１つの第１反対縁部，そして少なくとも１つの第２縁部及び少なくとも１つの第２反対縁部を有している。
【００１３】
壁システムの一実施形態に従えば、連結要素の少なくとも１つが凹所において壁要素に連結されている。
【００１４】
壁システムの一実施形態に従えば、構造要素が、少なくとも第２の複数の溝及び少なくとも第２の複数のフランジを備えている。
【００１５】
壁システムの一実施形態に従えば、それは壁ブロックの少なくとも１つの第１層及び壁ブロックの少なくとも１つの第２層を備えている。
【００１６】
建物構造のための壁システムの一実施形態に従えば、それは、少なくとも１つの連結装置、そして好ましくは幾つかの連結装置、により互いに連結されることが意図されている、壁要素のような複数の構造要素を備えており、ここにおいて、個々の壁要素が複数の核要素を備えていて、ここにおいて、側面の少なくとも１つに、介在する第１の複数のフランジを伴っている複数の第１溝が設けられている。構造要素は、より早くそしてより真っ直ぐな壁構造を許容するよう重複した様式で互いに連結されている。連結装置が少なくとも１つの第１のタイプの連結要素及び少なくとも１つの第２のタイプの連結要素を備えており、第１の連結要素が第１Ｖ字形状要素を備えており、そして第２の連結要素が第２Ｖ字形状要素を備えており、それらの形状が、それらが互いに連結することができ、そしてそれらが互いから連結解除することができるよう整合されている。
【図面の簡単な説明】
【００１７】
この発明は、この発明の現在の好ましい実施形態を一例として示している添付の概略図を参照して以下により詳細に記載される。
【図１】図１は、この発明に従った、連結されている複数の構成要素を伴った壁システムの一実施形態の一例を示している。
【図２Ａ】図２Ａは、この発明の一実施形態に従った、本質的に長方形状の壁要素、構造要素の一例の側面図を示している。
【図２Ｂ】図２Ｂは、この発明の一実施形態に従った、本質的に長方形状の壁要素、構造要素の一例の前からの図を示している。
【図２Ｃ】図２Ｃは、この発明の一実施形態に従った、本質的に長方形状の壁要素、構造要素の一例の側面図を示している。
【図３】図３は、この発明の一実施形態に従った、壁要素の断面の複数の部位を示している。
【図４】図４は、共に接合されている複数の連結要素を伴った連結装置の一例を示している。
【発明を実施するための形態】
【００１８】
図を参照して、この特許出願に従った壁システム１がより詳細に記載される。この特許出願においては、壁システムを使用する方法もまた記載される。
【００１９】
この発明の一実施形態に従った壁システム１の上からの断面図を示している図１を参照すると、壁システム１は、壁ブロック又は同等のもののような複数の構造要素２を備えている。構造要素２は、図１中には示されていないが図２及び図４を参照して、以下により詳細に記載されている少なくとも１つの連結装置３、そして好ましくは幾つかの連結装置３、により互いに接合されている。壁システムの一実施形態に従えば、共に連結された時に複数の構造要素２は、構造要素の第１層２２及び構造要素の第２層２３を形成する。個々の層２２，２３は、図２Ｂを参照して、隣接した構造要素の横縁部１０，１１，８，９、の間の継ぎ目３０において共に接合されている複数の隣接している構造要素を備えている。個々の層２２及び２３中の構造要素２は、図２Ａ−２Ｃに示される、互いに対面し、そして好ましくは互いに隣接している異なった層の部位を形成している異なる層２２，２３の部分を形成する構造要素の側面６，７が、個々の層２２及び２３の構造要素が好ましくは重複した様式、すなわち互いに重なった接合、で配置されることを達成するように、垂直及び／又は水平方向への互いの位置ずれを伴い連結されているよう、順番に共に連結されている。連結装置３は、少なくとも１つの第１の連結要素４及び少なくとも１つの第２の連結要素５を備えている。例示的な実施形態においては、第１の連結要素４が雌構成要素を備えているとともに第２の連結要素５が雄構成要素を備えており、又はこの逆である。
【００２０】
壁要素のような、構造要素２の寸法及び形状は、この発明の概念の枠組み内で変更することができる。壁システム１は使用において、１つの寸法の構造要素２を備えることができる。壁システムの別の実施形態においては、それは２つ又はそれ以上の異なった寸法の構造要素２を備え、これらは最も普通の実施形態である。
【００２１】
構造要素２の例示的な実施形態は、前からの図である図２Ｂ及び側面からの図である２Ａ及び２Ｃにおいて、より詳細に示されている。この例示的な実施形態においては、構造要素２は、互いに連結されて壁を形成している壁要素を形成している。他の実施形態においては、それはしかしながら、壁以外の建物の部位において使用される構造要素として想定できる。
【００２２】
壁要素に基づく建物要素２の例示的な実施形態においては、それは第１側面６及び第２側面７を備えている本質的に矩形状又は正四角形状を有する。この構造要素は横縁部、すなわち少なくとも第１縁部８と第１反対縁部９及び第３縁部１０と反対縁部１１、を有する。図２中の構造要素２は、隣接した構造要素への連結のための横縁部１０、１１上及び第１側面７上に配置されている複数の連結要素３を有する。構造要素３は、建設工事のモジュール化された方法を支援するために構造要素の側面及び横縁部上に分配されていて、ここにおいて、それ自身の側面及び横縁部上の対応している位置に配置されている補完的な連結要素を伴っている第２の構造要素が、構造要素２に対し有利にそして簡単に連結することができる。
【００２３】
水平及び垂直方向において位置ずれしているもう１つの構造要素のための連結地点を提供するよう連結要素３が、側面７上に分配されており、そこには、個々の連結要素３が、側面７の個々の仮想四半分Ｋ１〜Ｋ４（図２Ｂ中の破線）の隅点に置かれている。連結要素３のこの配置は、四半分Ｋ１，Ｋ２，Ｋ３又はＫ４を重複させている、Ｋ１＋Ｋ２，Ｋ１＋Ｋ３，Ｋ３＋Ｋ４又はＫ２＋Ｋ４を重複させている、補完的な連結要素３を伴っているもう１つの構造要素の側面６の重複した搭載を許容する。例示的な実施形態において、連結要素は、上に記載されたような重複様式で、側面対側面（２つの構造要素の対応する側面６及び７）、層を構成するための縁部対縁部（２つの構造要素の対応している縁部１０及び１１）、そして、表面に対し直角に壁システム／層を組み立てるための縁部対側面（例えば２つの構造要素の側面７に直角に搭載される縁部１０）、で構造要素２へ他の構造要素の取り付けを支持するよう分散されている。
【００２４】
壁システムの１つの実施形態に従えば、図３に示されているように、構造要素２は１つ又はそれ以上の核要素１２を備えている。図に示されている実施形態においては、この構造は複数の核要素１２を備えている。
【００２５】
例示的な実施形態においては、核要素は本質的に四辺形の形状を有しているが、代わりの実施形態において、それは適用のために適している異なった形状とすることができる。核要素は、特許明細書  ＷＯ  ２０１１０９０４１８号（「核要素」第３〜８頁，図１〜６）に記載されている変形として形作ることができる。
【００２６】
例示的な実施形態に従っている核要素１２は、したがって、介在している第１の複数のフランジ１４を伴う第１の複数の溝１２である少なくとも１つの側面を備えており、そして好適な実施形態においては、また中間の第２の複数のフランジ１６を伴う溝１５のもう１セットである少なくとも１つの他の側面を備えている。他の複数の実施形態においては、核要素１２の更なる側面が少なくとも１つの溝を備えることができ、そして更に他の実施形態においては、第４番目の側面は、また少なくとも１つの溝（この溝は図に示されていない）を備える。例示的な実施形態においては、この構造は、個々の縁部に少なくとも１つの縁部区域２４を、そして個々の側面６及び７上に少なくとも１つの材料層２５を、備えている。
【００２７】
図において、構造要素２は、個々がそれ自身の側面区域１８を伴った少なくとも１つの中間区域１７をその横断方向において有している。中間区域は、少なくとも１つの核要素１２を備えている。例示的な実施形態においては、個々の側面区域１８は１１の核要素（図において１１の核要素が一方向に示されているが、他の方向にはより少ない数である）を有する。中間区域１７の核要素１２の数及び側面区域１８の個々の核要素は、この発明の概念の範囲内で変更できる。中間区域の核要素の数は、したがって、１つ以上であることができ、そして、側面区域における核要素の数は１１以上又は１１よりも少なくできる。
【００２８】
使用される時に核要素が垂直に、すなわち本質的に垂直に、位置されるように、壁要素は好ましくは使用される。
【００２９】
壁システムの１つの実施形態に従えば、連結要素４及び５の少なくとも１つが、凹所（示されていない），空洞，又は同様なもので壁要素２（構造要素）に対し連結される。この構造は、壁要素の縁部又は壁要素の層が互いに対し位置することができることを意味している。この壁要素は、壁要素の縁部及び側面に凹所を有することができる。
【００３０】
図４を参照すると、第１の連結要素４の実施形態がより詳細に示されている。第１の連結要素４はＶ字形状要素２０又は同様なもの又は本質的なＶ字形状要素，部位又は同等物を備えている。図４において、第２の連結要素５がＶ字形状要素２１，部位又は同様な物又は本質的なＶ字形状部位又は要素を備えていることが、また示されている。例示的な実施形態においては、Ｖ字形状要素２０は雌構成要素を備え、そしてＶ字形状要素２１は雄構成要素を備えている。
【００３１】
第１Ｖ字形状要素２０及び第１連結要素４そして第２Ｖ字形状要素２１及び第２連結要素５は整合された形状を有しており、これらは互いに連結することができると共に互いから連結解除することができるものである。Ｖ字形状要素２０及び２１の形状は、これらが共に連結された時に互いに規制されることを意図している。これは、それに対し連結されている壁要素が自動的に互いに調節されることを意図している。この構造はまた、組立を迅速に行うことができるという利点を有する。
【００３２】
図１を参照すると、それは、壁ブロックのような第１の構造要素２及び第２の壁ブロックのような第２の構造要素が連結要素（図１には示されていない）の補助によりどのようにして共に接合されるかを示している。このシステムの使用を通して、第１層２２及び少なくとも１つの第２層２３が例えば形成される。他の実施形態においては、壁ブロックのような構造要素２の少なくとも１つの第３層が使用されることができる。図には、壁ブロックの第１層２２及び壁ブロックの第２層２３が少なくとも１つの方向においてどのように互いに位置ずれされているかが示されている。好適には、（これらが壁を形成するために組み立てられる時に）壁ブロックのような構造要素２の第１層２２及び第２層２３は、壁ブロックのような構造要素２の水平方向に位置ずれされている。他の実施形態においては、壁ブロックのような構造要素２は、また、垂直、すなわち本質的に垂直な方向にも位置ずれしている。さらなる他の実施形態においては、壁ブロックのような構造要素２は、垂直、すなわち本質的に垂直な方向にのみ位置ずれしている。
【００３３】
この発明の詳細な記載において、当該技術分野において当業者に対し明らかである構造の詳細は省略される。このような明らかな構造の詳細は、達成されるべきこの発明の満足のいく機能のために要求されている程度まで含まれている。例えば、構成要素は、達成されるべきこの発明の出願に従っている構造の満足のいく機能のために要求されている程度まで含まれる。
【００３４】
ある好適な複数の実施形態が詳細に記載されているが、この発明の枠組内の変形及び変更は、この発明が関係している分野において当業者に対し明らかになり、そして全てのこれらは続く特許請求の範囲の枠組内になると考えられる。したがって、この出願内に明らかにされているもの以外の目的及び適用のために、この発明が使用されるようになることが想定できる。
【図１】
2018515704.tif 000003
【図２Ａ】
2018515704.tif 000004
【図２Ｂ】
2018515704.tif 000005
【図２Ｃ】
2018515704.tif 000006
【図３】
2018515704.tif 000007
【図４】
2018515704.tif 000008
【国際調査報告】
2018515704.tif 000009
2018515704.tif 000010
2018515704.tif 000011
2018515704.tif 000012
2018515704.tif 000013
2018515704.tif 000014